(57)【特許請求の範囲】
【請求項１】
視覚障害者を誘導し警告を促すために敷設される突起形成体であって、
天板と、
該天板の縁部から下垂し、ブロック体または歩行面に形成された嵌合溝に嵌め込むための足部とを備える
ことを特徴とする突起形成体。
【請求項２】
前記足部の外側面に圧接突起が形成されている
ことを特徴とする請求項１記載の突起形成体。
【請求項３】
前記天板の裏面に接着溝が形成されている
ことを特徴とする請求項１または２記載の突起形成体。
【請求項４】
前記天板の表面に滑り止めの凹凸が形成されている
ことを特徴とする請求項１，２または３記載の突起形成体。
【請求項５】
前記突起形成体が棒状であり、
複数の短尺棒状突起形成体に区分されており、
該短尺棒状突起形成体の先端同士が薄肉の連結部で連結されている
ことを特徴とする請求項１，２，３または４記載の突起形成体。
【請求項６】
請求項１，２，３，４または５記載の突起形成体を嵌着するためのブロック体であって、
表面に前記突起形成体の足部が嵌る嵌合溝が形成されている
ことを特徴とするブロック体。
【請求項７】
前記ブロック体の表面に粗面加工が施されている
ことを特徴とする請求項６記載のブロック体。
【請求項８】
請求項６または７記載のブロック体に請求項１，２，３，４または５記載の突起形成体を嵌着した視覚障害者誘導用ブロックであって、
前記ブロック体の色は敷設する歩行面と同系色であり、
前記突起形成体の色は前記ブロック体の色に比べてコントラストが強い色である
ことを特徴とする視覚障害者誘導用ブロック。
【発明の詳細な説明】
【技術分野】
【０００１】
本発明は、視覚障害者誘導用ブロック、ならびに突起形成体およびブロック体に関する。さらに詳しくは、視覚障害者を誘導し歩行を補助するために歩行面に敷設される視覚障害者誘導用ブロック、ならびにその視覚障害者誘導用ブロックに用いられる突起形成体およびブロック体に関する。
【背景技術】
【０００２】
視覚障害者を誘導し警告を促して歩行を補助するために、線状あるいは点状の突起を有する視覚障害者誘導用ブロックを歩行面に敷設することが行われている。
視覚障害者誘導用ブロックとしてブロックの表面に突起を一体に形成したものを用いて、それを歩行面に敷設する方法があるが、こうしたブロックによらずに、歩行面に直接突起を敷設する方法もある。
【０００３】
特許文献１に記載の突起ユニットは、一対の棒状支持体と、一又は二以上の突起形成体とを備えており、突起形成体は一端部を一対の棒状支持体の一方への連接部とし、かつ、他端部を一対の棒状支持体の他方への連接部として、この一対の棒状支持体間に架け渡し状に備えられる。また突起形成体は、その裏面を接着剤により歩行面に接着される接着面としていると共に、連接部において、突起形成体と棒状支持体とを切り離し可能に構成してある。
これにより、この突起ユニットは、棒状支持体を把持した状態で突起形成体の接着面を下にして歩行面に配置させると共に、接着剤により接着面を歩行面に接着させることにより、突起形成体を歩行面の所定の位置に、容易に止着させることができる。そして、この止着の後、連接部において突起形成体と棒状支持体とを切り離すことによって、歩行面に直接突起を形成させることができる。
【０００４】
しかるに、特許文献１に記載の突起ユニットは、突起形成体の裏面を接着剤で歩行面に接着させるだけであるので、人の歩行などにより負荷がかかったり、靴先で蹴ったり、あるいは車両が乗入れたりすると剥がれてしまうことが多いという問題がある。
【０００５】
また、従来の視覚障害者誘導用ブロックはブロック全体を黄色としたものであった。これは、視覚障害者および健常者にとって、灰色であるアスファルトなどの路面に対して視覚障害者誘導用ブロックの視認性を高めるためである。
【０００６】
しかるに、視覚障害者の行動範囲が広くなるにつれて、視覚障害者誘導用ブロックはアスファルトなどの路面だけではなく、ビルなどの屋内にも敷設することが要求されている。ビルなどの屋内では、カラータイルなどにより歩行面に色彩が施されている場合があるが、このような歩行面に黄色の視覚障害者誘導用ブロックを敷設したのではかえって視認性が低くなる場合もあるし、景観性を損なってしまうという問題がある。
【先行技術文献】
【特許文献】
【０００７】
【特許文献１】特開２００６−１３８０８５号公報
【発明の概要】
【発明が解決しようとする課題】
【０００８】
本発明は上記事情に鑑み、人の歩行や車両の乗入によっても剥がれ難い突起形成体およびブロック体、ならびに色彩が施された歩行面に敷設しても視認性が高く景観性を損なうことがない視覚障害者誘導用ブロックを提供することを目的とする。
【課題を解決するための手段】
【０００９】
第１発明の突起形成体は、視覚障害者を誘導し警告を促すために敷設される突起形成体であって、天板と、該天板の縁部から下垂し、ブロック体または歩行面に形成された嵌合溝に嵌め込むための足部とを備えることを特徴とする。
第２発明の突起形成体は、第１発明において、前記足部の外側面に圧接突起が形成されていることを特徴とする。
第３発明の突起形成体は、第１または第２発明において、前記天板の裏面に接着溝が形成されていることを特徴とする。
第４発明の突起形成体は、第１，第２または第３発明において、前記天板の表面に滑り止めの凹凸が形成されていることを特徴とする。
第５発明の突起形成体は、第１，第２，第３または第４発明において、前記突起形成体が棒状であり、複数の短尺棒状突起形成体に区分されており、該短尺棒状突起形成体の先端同士が薄肉の連結部で連結されていることを特徴とする。
第６発明のブロック体は、第１，第２，第３，第４または第５発明の突起形成体を嵌着するためのブロック体であって、表面に前記突起形成体の足部が嵌る嵌合溝が形成されていることを特徴とする。
第７発明のブロック体は、第６発明において、前記ブロック体の表面に粗面加工が施されていることを特徴とする。
第８発明の視覚障害者誘導用ブロックは、第６または第７発明のブロック体に第１，第２，第３，第４または第５発明の突起形成体を嵌着した視覚障害者誘導用ブロックであって、前記ブロック体の色は敷設する歩行面と同系色であり、前記突起形成体の色は前記ブロック体の色に比べてコントラストが強い色であることを特徴とする。
【発明の効果】
【００１０】
第１発明によれば、天板の縁部から下垂する足部を備えているので、ブロック体や歩行面に形成された嵌合溝に足部を嵌め込むことができ、人の歩行や車両乗入時の負荷や衝撃がかかっても剥がれ難い。
第２発明によれば、足部の外側面に圧接突起が形成されているので、圧接突起が嵌合溝の側面を圧接し、より剥がれ難くなる。
第３発明によれば、天板の裏面に接着溝が形成されているので、接着溝に接着剤が入り接着剤との接触面積が増し、突起形成体をブロック体や歩行面に強固に接着することができる。
第４発明によれば、天板の表面に滑り止めの凹凸が形成されているので、突起形成体と靴底との間の摩擦が増し、滑り止めとなる。
第５発明によれば、短尺棒状突起形成体の先端同士が薄肉の連結部で連結されているので、連結部を曲げることにより突起形成体を屈曲させることができ、ブロック体や歩行面が屈曲している場合であっても、天板を密着して敷設することができる。
第６発明によれば、表面に突起形成体の足部が嵌る嵌合溝が形成されているので、嵌合溝に足部を嵌め込むことで突起形成体をブロック体に嵌着し、視覚障害者誘導用ブロックとすることができる。
第７発明によれば、ブロック体の表面に粗面加工が施されているので、歩行面に敷設した際の景観性が良くなる。
第８発明によれば、ブロック体の色は敷設する歩行面と同系色であるので、色彩が施された歩行面に敷設しても景観性を損なうことがない。また、突起形成体の色はブロック体の色に比べてコントラストが強い色であるので、突起形成体の視認性が高く誘導しやすくなる。
【図面の簡単な説明】
【００１１】
【図１】本発明の第１実施形態に係る突起形成体Ａを示し、（Ａ）は平面図、（Ｂ）は側面図である。
【図２】同突起形成体Ａを示し、（Ａ）は図１（Ｂ）におけるIIa−IIa線断面図、（Ｂ）は図１（Ｂ）におけるIIb−IIb線断面図、（Ｃ）は底面図である。
【図３】本発明の第１実施形態に係るブロック体Ｂを示し、（Ａ）は平面図、（Ｂ）は側面図である。
【図４】本発明の第１実施形態に係る突起形成体Ａのブロック体Ｂへの嵌着の説明図であり、（Ａ）は突起形成体Ａを設置した状態、（Ｂ）は突起形成体Ａを圧着した状態である。
【図５】本発明の第１実施形態に係る視覚障害者誘導用ブロックＣを示し、（Ａ）は平面図、（Ｂ）は側面図である。
【図６】本発明の第２実施形態に係る突起形成体Ｄを示し、（Ａ）は平面図、（Ｂ）は側面図である。
【図７】同突起形成体Ｄを示し、（Ａ）は図６（Ａ）におけるVIIa−VIIa線断面図、（Ｂ）は図１（Ａ）におけるVIIb−VIIb線断面図、（Ｃ）は底面図である。
【図８】本発明の第２実施形態に係るブロック体Ｅを示し、（Ａ）は平面図、（Ｂ）は側面片側B-B線断面図である。
【図９】本発明の第２実施形態に係る突起形成体Ｄのブロック体Ｅへの嵌着の説明図であり、（Ａ）は突起形成体Ｄを設置した状態、（Ｂ）は突起形成体Ｄを圧着した状態である。
【図１０】本発明の第２実施形態に係る視覚障害者誘導用ブロックＦを示し、（Ａ）は平面図、（Ｂ）は側面図である。
【発明を実施するための形態】
【００１２】
つぎに、本発明の実施形態を図面に基づき説明する。
（第１実施形態）
図１に示すように、本発明の第１実施形態に係る突起形成体Ａは平面視棒状をしており、これを複数本平行に敷設して、移動方向を指示するための線状突起とするためのものである。
より詳細には、突起形成体Ａは平板状であって平面視長尺の長方形をしており、ＪＩＳ  Ｔ９２５１（視覚障害者誘導用ブロック等の突起の形状・寸法及びその配列）に定められた線状突起の寸法を有している。
【００１３】
図２（Ａ）に示すように、突起形成体Ａは、歩行者の靴底と接する天板１０と、天板１０の長尺の縁部から下垂する足部２０とから形成されており、断面形状は門形をしている。また足部２０の外側面には、長手方向に線状に延びる圧接突起２１が形成されている。
また、天板１０の表面には滑り止めの円柱突起１１が形成されている。これにより、突起形成体Ａを敷設した場合に、靴底との間の摩擦が増し、滑り止めとなる。
さらに、図２（Ｃ）に示すように、天板１０の裏面には複数本の接着溝１２が縦横に形成されている。
【００１４】
図１（Ａ）に示すように、突起形成体Ａは、突起形成体Ａの３分の１の長さを有する短尺棒状突起形成体３０に３区分されており、中央の短尺棒状突起形成体３０とその両端の短尺棒状突起形成体３０とは、先端同士が薄肉の連結部３１で連結された形状をしている。
より詳細には、図２（Ｂ）に示すように、連結部３１は足部２０の天板１０との付け根部分において、短尺棒状突起形成体３０同士を連結しており、図１（Ｂ）に示すように、連結部３１の上下は切欠きが形成されている。そのため、突起形成体Ａは連結部３１を上下に曲げることにより屈曲させることができるようになっている。
【００１５】
突起形成体Ａは、プラスチック材料を用いた射出成形により成形されるほか、敷設する歩行面に合わせてセラミックスやステンレスなどから成形される。ただし、連結部３０で屈曲させる場合には可撓性の材料から成形する必要がある。
【００１６】
突起形成体Ａを用いて視覚障害者誘導用ブロックを構成するために、図３に示すようなブロック体Ｂが用いられる。
ブロック体Ｂは、コンクリートなどから成形される平面視矩形のブロックである。ブロック体Ｂの平面には突起形成体Ａの足部２０が嵌る嵌合溝４０が複数本形成されている。足部２０は突起形成体Ａの断面形状が門形となるように天板１０に対して２本形成されているので、その２本の足部２０の間隔に合わせて、対となる嵌合溝２０の間隔が設定されている。さらに、本実施形態のブロック体Ｂには、突起形成体Ａが平行に４本嵌着できるように、所定間隔を隔てて計８本の嵌合溝４０が形成されている。なお、平行に嵌着される突起形成体ＡがＪＩＳ  Ｔ９２５１に定められた線状突起の配列となるように、嵌合溝４０の間隔が設定されている。
【００１７】
嵌合溝４０の深さは、足部２０が全て嵌り、天板１０の裏面がブロック体Ｂの表面に接するのに十分な深さである。
また、嵌合溝４０は、平面が平らなブロック体Ｂを成形した後にグラインダーなどで切削して形成してもよいし、成形型に予め溝を設けておきブロック体Ｂの成形と同時に形成してもよい。
【００１８】
なお、ブロック体Ｂの表面に研磨加工、ショットブラスト加工、洗い出し加工などの粗面加工を施せば、ブロック体Ｂを歩行面に敷設した際の景観性が良くなる。この祖面加工は下記の突起形成体Ａのブロック体Ｂへの嵌着の前に行うのは言うまでもない。
【００１９】
突起形成体Ａのブロック体Ｂへの嵌着は以下の工程で行う。
（１）接着剤塗布
まず、図４（Ａ）に示すように、ブロック体Ｂの表面であって対となる嵌合溝４０の間部分に接着剤Ｓを塗布する。
【００２０】
（２）突起形成体設置
つぎに、足部２０を嵌合溝４０に合わせて、突起形成体Ａを配置し、位置を調整する。この段階では圧接突起２１が嵌合溝４０の側面に引っ掛かり、足部２０が嵌合溝４０に嵌りきらず、突起形成体Ａが浮いた状態となっている。また、こうなるように対となる嵌合溝４０の間隔が設定されている。
【００２１】
（３）突起形成体圧着
つぎに、突起形成体Ａをハンマーなどで叩き込むことにより、突起形成体Ａとブロック体Ｂとを圧着する。このとき、図４（Ｂ）に示すように、足部２０が若干内側に撓んで圧接突起２１が嵌合溝４０の側面に当たるようになるため、足部２０の弾性力により圧接突起２１が嵌合溝４０の側面を圧接して、突起形成体Ａがブロック体Ｂから剥がれ難くなる。また、天板１０の裏面の接着溝１２に接着剤Ｓが入り、接着剤Ｓとの接触面積が増すので、突起形成体Ａとブロック体Ｂとを強固に接着することができる。このため、人の歩行や車両乗入時の負荷や衝撃がかかっても突起形成体Ａはブロック体Ｂから剥がれ難い。
【００２２】
以上の工程により、突起形成体Ａをブロック体Ｂに嵌着することで、図５に示すような視覚障害者誘導用ブロックＣとすることができる。視覚障害者誘導用ブロックＣは、線状突起を有し、移動方向を指示するための誘導ブロック（線状ブロック）となる。
【００２３】
視覚障害者誘導用ブロックＣにおいて、ブロック体Ｂの色を敷設する歩行面と同系色とすれば、色彩が施された歩行面に敷設しても景観性を損なうことがない。また、突起形成体Ａの色をブロック体Ｂの色に比べてコントラストが強い色とすれば、突起形成体Ａの視認性を高くし誘導しやすくすることができる。
突起形成体Ａとブロック体Ｂとは別々に製造し、施工現場で色を選択できるので、このような色の調整を図ることが容易となる。
【００２４】
なお、突起形成体Ａはブロック体Ｂに嵌着する以外にも、歩行面に直接嵌合溝を切削し、その嵌合溝に嵌着するようにしてもよい。
また、屈曲した歩行面に敷設する場合には、連結部３１を曲げることにより突起形成体Ａを屈曲させることができるので、屈曲したブロック体を使用する場合でも、歩行面に直接敷設する場合でも、天板１０を密着して敷設することができる。
【００２５】
一般に、プラスチック成形品は反りが生じる場合があるが、突起形成体Ａに反りが生じた場合でも、連結部３１が曲がることによりその反りを打ち消すことができるので、ブロック体Ｂに密着して敷設することができる。
【００２６】
突起形成体Ａをセラミックスなどの硬質の材料から成形する場合は、上述のごとくブロック体Ｂへの嵌着において足部２０を撓ませることができない。この場合には、圧接突起２１を設けない形態とし、代わりに足部２０と嵌合溝４０とを接着剤Ｓで接着することが好ましい。
【００２７】
（第２実施形態）
図６に示すように、本発明の第２実施形態に係る突起形成体Ｄは平面視円状をしており、これを格子状に敷設することにより、注意を喚起する位置を示すための点状突起とするためのものである。より詳細には、突起形成体Ｄは平板状であって平面視円形をしており、ＪＩＳ  Ｔ９２５１に定められた点状突起の寸法を有している。なお、図６から図１０では、第１実施形態に係る突起形成体Ａの各部位と対応する部位について同一符号を付している。
【００２８】
図７（Ａ）、（Ｂ）に示すように、突起形成体Ｄは、歩行者の靴底と接する天板１０と、天板１０の周縁部から下垂するスカート状の足部２０とから形成されている。また足部２０の外周面には、周方向に線状に延びる圧接突起２１が形成されている。
また、天板１０の表面には滑り止めの円柱突起１１が形成されている。これにより、突起形成体Ｄを敷設した場合に、靴底との間の摩擦が増し、滑り止めとなる。
さらに、図７（Ｃ）に示すように、天板１０の裏面には複数本の接着溝１２が形成されている。
【００２９】
突起形成体Ｄも突起形成体Ａと同様に、プラスチック材料を用いた射出成形により成形されるほか、敷設する歩行面に合わせてセラミックスやステンレスなどから成形される。
【００３０】
突起形成体Ｄを用いて視覚障害者誘導用ブロックを構成するために、図８に示すようなブロック体Ｅが用いられる。
ブロック体Ｅは、コンクリートなどから成形される平面視矩形のブロックである。ブロック体Ｅの平面には突起形成体Ｄの足部２０が嵌る円形の嵌合溝４０が格子状に形成されている。なお、嵌合溝４０の格子の間隔はＪＩＳ  Ｔ９２５１に定められた点状突起の配列となるように設定されている。
【００３１】
嵌合溝４０の深さは、足部２０が全て嵌り、天板１０の裏面がブロック体Ｅの表面に接するのに十分な深さである。
また、嵌合溝４０は、平面が平らなブロック体Ｅを成形した後にホールソーなどで切削して形成してもよいし、成形型に予め溝を設けておきブロック体Ｅの成形と同時に形成してもよい。
【００３２】
なお、ブロック体Ｅの表面に研磨加工、ショットブラスト加工、洗い出し加工などの粗面加工を施せば、ブロック体Ｅを歩行面に敷設した際の景観性が良くなる。この祖面加工は下記の突起形成体Ｄのブロック体Ｅへの嵌着の前に行うのは言うまでもない。
【００３３】
突起形成体Ｄのブロック体Ｅへの嵌着は以下の工程で行う。
（１）接着剤塗布
まず、図９（Ａ）に示すように、ブロック体Ｅの表面であって円形の嵌合溝４０の内側に接着剤Ｓを塗布する。
【００３４】
（２）突起形成体設置
つぎに、足部２０を嵌合溝４０に合わせて、突起形成体Ｄを配置し、位置を調整する。この段階では圧接突起２１が嵌合溝４０の側面に引っ掛かり、足部２０が嵌合溝４０に嵌りきらず、突起形成体Ｄが浮いた状態となっている。また、こうなるように嵌合溝４０の外径が設定されている。
【００３５】
（３）突起形成体圧着
つぎに、突起形成体Ｄをハンマーなどで叩き込むことにより、突起形成体Ｄとブロック体Ｅとを圧着する。このとき、図９（Ｂ）に示すように、足部２０が若干内側に撓んで圧接突起２１が嵌合溝４０の側面に当たるようになるため、足部２０の弾性力により圧接突起２１が嵌合溝４０の側面を圧接して、突起形成体Ｄがブロック体Ｅから剥がれ難くなる。また、天板１０の裏面の接着溝１２に接着剤Ｓが入り、接着剤Ｓとの接触面積が増すので、突起形成体Ｄとブロック体Ｅとを強固に接着することができる。このため、人の歩行や車両乗入時の負荷や衝撃がかかっても突起形成体Ｄはブロック体Ｅから剥がれ難い。
【００３６】
以上の工程により、突起形成体Ｄをブロック体Ｅに嵌着することで、図１０に示すような視覚障害者誘導用ブロックＦとすることができる。視覚障害者誘導用ブロックＦは、点状突起を有し、注意を喚起する位置を示すための警告ブロック（点状ブロック）となる。
【００３７】
視覚障害者誘導用ブロックＦにおいて、ブロック体Ｅの色を敷設する歩行面と同系色とすれば、色彩が施された歩行面に敷設しても景観性を損なうことがない。また、突起形成体Ｄの色をブロック体Ｅの色に比べてコントラストが強い色とすれば、突起形成体Ｄの視認性を高くし誘導しやすくすることができる。
突起形成体Ｄとブロック体Ｅとは別々に製造し、施工現場で色を選択できるので、このような色の調整を図ることが容易となる。
【００３８】
なお、突起形成体Ｄはブロック体Ｅに嵌着する以外にも、歩行面に直接嵌合溝を切削し、その嵌合溝に嵌着するようにしてもよい。
【００３９】
突起形成体Ｄをセラミックスなどの硬質の材料から成形する場合は、上述のごとくブロック体Ｄへの嵌着において足部２０を撓ませることができない。この場合には、圧接突起２１を設けない形態とし、代わりに足部２０と嵌合溝４０とを接着剤Ｓで接着することが好ましい。
【符号の説明】
【００４０】
Ａ，Ｄ  突起形成体
Ｂ，Ｅ  ブロック体
Ｃ，Ｆ  視覚障害者誘導用ブロック
１０    天板
１１    円柱突起
１２    接着溝
２０    足部
２１    圧接突起
４０    嵌合溝
【図１】
0005457170.tif 000002
【図２】
0005457170.tif 000003
【図３】
0005457170.tif 000004
【図４】
0005457170.tif 000005
【図５】
0005457170.tif 000006
【図６】
0005457170.tif 000007
【図７】
0005457170.tif 000008
【図８】
0005457170.tif 000009
【図９】
0005457170.tif 000010
【図１０】
0005457170.tif 000011